(57)【要約】【課題】所望の撮影条件を満たす画像を効率よく取得するとともに、連続撮影時における撮影時間の短縮化を図る。【解決手段】ブラケット撮影を構成する複数の撮影中の一の撮影毎に閃光の発光を制御する電気信号を出力する発光制御部５３と、複数の閃光放電管４０が異なる位置に配置された発光部３８と、閃光放電管４０ごとに個別に備えられたメインコンデンサ４３を備え、複数の閃光放電管４０を個別に発光又は消光させる発光駆動部３９とを具備し、発光駆動部３９は、発光制御部５３から出力された電気信号に基づいて発光部３８の発光位置を制御するとともに、一の閃光放電管の発光動作中に他の閃光放電管に設けられたメインコンデンサ４３に対し充電を行う。【選択図】図１
2006126814.tif 000002
【特許請求の範囲】
【請求項１】
一回のレリーズ操作によって複数の撮影を連続して行うブラケット撮影を撮像装置に行わせる撮影制御部と、
複数の発光部材が異なる位置に配置された発光部と、
前記ブラケット撮影を構成する前記複数の撮影中の一の撮影毎に閃光の発光を制御する電気信号を出力する発光制御部と、
前記発光部材毎に個別に備えられた蓄電部と、
前記発光制御部から出力された電気信号に基づいて前記複数の発光部材を個別に発光又は消光させ、一の発光部材の発光動作中に他の発光部材に設けられた蓄電部に対し充電を行う発光駆動部とを具備することを特徴とする撮像装置。
【請求項２】
前記複数の発光部材は、閃光放電管であることを特徴とする請求項１に記載の撮像装置。
【請求項３】
一回のレリーズ操作によって複数の撮影を連続して行うブラケット撮影を撮像装置に行わせる撮影制御部と、
発光ダイオードで構成された複数の発光部材が異なる位置に配置された発光部と、
前記ブラケット撮影を構成する前記複数の撮影中の一の撮影毎に閃光の発光を制御する電気信号を出力する発光制御部と、
前記発光制御部から出力された電気信号に基づいて前記複数の発光部材を個別に発光又は消光させる発光駆動部とを具備することを特徴とする撮像装置。
【請求項４】
前記発光制御部は、前記一の撮影毎に異なる発光条件の閃光を発光するように制御することを特徴とする請求項１乃至請求項３に記載の撮像装置。
【請求項５】
前記発光制御部は、前記一の撮影毎に、異なる発光条件の閃光を発光、又は異なる露出条件で閃光を発光するように制御することを特徴とする請求項１乃至請求項４に記載の撮像装置。
【請求項６】
前記複数の発光部材は、各発光部材の光軸方向が所定の方向に沿って配置され、
前記発光条件は、前記発光部の発光位置を含むことを特徴とする請求項１乃至請求項５に記載の撮像装置。
【請求項７】
前記複数の発光部材は、各発光部材の光軸方向が平行となるように配置されたことを特徴とする請求項１乃至請求項６に記載の撮像装置。
【請求項８】
前記複数の発光部材は、各発光部材の光軸方向がそれぞれ異なるように配置され、
前記発光条件は、前記発光部から照射される光の照射角度を含むことを特徴とする請求項１乃至請求項７に記載の撮像装置。
【請求項９】
前記発光部は、前記複数の発光部材の光軸方向を調整するための駆動装置を具備することを特徴とする請求項１乃至請求項８に記載の撮像装置。
【請求項１０】
前記複数の発光部材は、当該複数の発光部材における２以上の発光部材が同時に発光するように、前記発光制御部により制御され、
前記発光条件は、前記発光部の発光光量及び発光パターンの少なくとも１つを含むことを特徴とする請求項１乃至請求項９に記載の撮像装置。
【請求項１１】
前記複数の発光駆動部は、蓄電部が設けられていることを特徴とする請求項３に記載の撮像装置。
【請求項１２】
前記発光ダイオードは、一の発光ダイオード単独で白色の閃光を発光する白色発光ダイオードであることを特徴とする請求項３又は請求項１１に記載の撮像装置。
【請求項１３】
前記発光ダイオードは、各発光ダイオードが単色の閃光を発光する単色発光ダイオードであって、当該単色発光ダイオードから発光された単色光を加法混色することで白色の閃光を発光することを特徴とする請求項３又は請求項１１に記載の撮像装置。
【請求項１４】
前記発光ダイオードは、前記白色発光ダイオード及び単色発光ダイオードからなり、当該単色発光ダイオードの発光面積が当該白色発光ダイオードの発光面積よりも小さいことを特徴とする請求項３又は請求項１１乃至請求項１３に記載の撮像装置。
【請求項１５】
一回のレリーズ操作によって複数の撮影を連続して行うブラケット撮影を行う撮影制御工程と、
発光位置又は照射角度を含む発光条件を決定する発光条件決定工程と、
前記発光条件に基づき、前記複数の撮影中の一の撮影毎に閃光の発光を制御する電気信号を出力する発光制御工程と、
前記発光制御工程により出力された電気信号に基づき、複数の発光部材と、当該発光部材毎に個別に備えられた蓄電部とを備えた発光部を発光させる発光駆動工程と、
一の発光部材の発光動作中に他の発光部材に対応した蓄電部に対し充電を行う充電工程とを具備することを特徴とする撮像装置の制御方法。
【請求項１６】
一回のレリーズ操作によって複数の撮影を連続して行うブラケット撮影を行う撮影制御工程と、
発光位置又は照射角度を含む発光条件を決定する発光条件決定工程と、
前記発光条件に基づき、前記複数の撮影中の一の撮影毎に閃光の発光を制御する電気信号を出力する発光制御工程と、
前記発光制御工程により出力された電気信号に基づき、複数の発光ダイオードを備えた発光部を発光させる発光駆動工程とを具備することを特徴とする撮像装置の制御方法。
【請求項１７】
一回のレリーズ操作によって複数の撮影を連続して行うブラケット撮影を行う撮影制御機能と、
発光位置又は照射角度を含む発光条件を決定する発光条件決定機能と、
前記発光条件に基づき、前記複数の撮影中の一の撮影毎に閃光の発光を制御する電気信号を出力する発光制御機能と、
前記発光制御機能により出力された電気信号に基づき、複数の発光部材と、当該発光部材毎に個別に備えられた蓄電部とを備えた発光部を発光させる発光駆動機能と、
一の発光部材の発光動作中に他の発光部材に対応した蓄電部に対し充電を行う充電機能とを具備することを特徴とする撮像装置の制御プログラム。
【請求項１８】
一回のレリーズ操作によって複数の撮影を連続して行うブラケット撮影を行う撮影制御機能と、
発光位置又は照射角度を含む発光条件を決定する発光条件決定機能と、
前記発光条件に基づき、前記複数の撮影中の一の撮影毎に閃光の発光を制御する電気信号を出力する発光制御機能と、
前記発光制御機能により出力された電気信号に基づき、複数の発光ダイオードを備えた発光部を発光させる発光駆動機能とを具備することを特徴とする撮像装置の制御プログラム。
【発明の詳細な説明】
【技術分野】
【０００１】
本発明は、撮像装置、その制御方法及び制御プログラムに係り、特に発光部の発光位置又は照射角度を変化させるブラケティング機能を具備する撮像装置、その制御方法及び制御プログラムに関する。
【背景技術】
【０００２】
一般的に、人物等を被写体としてストロボ撮影する際に、順光の照明（以下、フロントライト）を利用した場合においては、撮影された画像が平板な画像となり易いため、前方斜光の照明（以下、レンブラントライト）若しくは側光の照明（以下、サイドライト）又はこれらを組合せた照明等を利用することにより、顔の彫り、陰影及び立体感を強調するとともに、微細な表情描写の実現を図っている。
【０００３】
上述したレンブラントライト又はサイドライトを実現するために、照明装置及び外付けの閃光発光装置等が利用されている。これら照明装置及び外付けの閃光発光装置等には、閃光の光の強さ（発光光量の大きさ）を示すガイドナンバー（以下、ＧＮ：Guide Number）の大きい発光部材が使用されている。また、天井等に反射させることで間接的に照明させる機構や、照射角度の範囲を変更させ、発光された閃光の到達距離を延長させる機能等が具備されている。
【０００４】
ところで、従来、撮影毎に画像の露出レベルを段階的に変化させることにより、一回のレリーズ操作によって複数の画像を連写撮影する、いわゆるブラケティング機能が具備されたカメラが知られている（例えば、特許文献１参照）。このブラケティング機能は、絞り値と、シャッタ速度とで一義的に決定される露出量を変化させる露出ブラケティング（以下、ＡＥＢ：Auto Exposure Blaket）と、閃光発光装置の発光量を変化させるストロボブラケティングとに大別され、このような機能を具備するカメラでは、同一の被写体に対する複数枚の撮影画像の中から、所望の撮影条件を満たす画像を効率よく取得することができるようになっている。
【０００５】
しかし、閃光発光装置を用いてストロボ連写撮影を行った場合、一度ストロボ撮影を行った後は、閃光発光装置の発光用コンデンサが完全に充電するまで待機させてから、次のストロボ撮影を行っていたため、充電時間が長くなり、撮影間隔が増大されて、撮影機会が失われてしまうという問題が生じていた。
【０００６】
また、閃光発光装置による発光は、コンデンサが完全に充電されていなくても発光可能電圧に達していれば同調発光することが知られており、これを利用して、充電動作を一時中断して露光動作を優先的に開始する機能を有するカメラが開発されている。しかし、この種のカメラにおいては、フラッシュマチック手段により、コンデンサがフル充電されたときのＧＮを想定して撮影が行われるため、発光可能電圧でストロボ撮影が行われた場合では、ＧＮに誤差が生じることに伴い、ＧＮから被写体までの距離により決定される絞り開口径の設定にも誤差が生じてしまい、その結果、露出がアンダーになるという問題が生じていた。
【０００７】
そこで、撮影間隔の短縮かつ適正露出の実現を図ることが可能な閃光発光装置として、ストロボ連写撮影の際に、強制的にストロボを発光させることが可能な電圧に達した時に充電を停止することで、充電時間を短縮させるとともに、フラッシュマチック手段により絞り制御が補正されることにより、連写の撮影間隔を短縮するストロボ装置が開発されている（例えば、特許文献２参照）。
【０００８】
また、少なくとも２組の発光器を備え、発光器を切り替えながら少なくとも２連続の連続撮影をしたり、被写体の左右のずれを検知して、それにより左右のストロボの発光量を変化させて撮影するデジタルカメラが開発されている（例えば、特許文献３参照）。
しかし、このデジタルカメラにおいては、連続撮影を行うにあたり、連続してストロボを発光させることにより、大量に消費される電力をどのように処理するかが解決されていない。
【特許文献１】特許第２８７０７７３号公報
【特許文献２】特許第２６３６２９６号公報
【特許文献３】特開平８−１２５９５７（実施例４及び実施例５）
【発明の開示】
【発明が解決しようとする課題】
【０００９】
上述したストロボ装置や、デジタルカメラのストロボ装置においては、ストロボ装置のコンデンサを完全に充電させず、発光可能電圧を充電する場合であっても、例えば、数秒以上の時間を要しているとともに、１コマの撮影毎に充電を繰り返すため、被写体が人間等の場合には、同一の姿勢又は表情の維持を強いることになり、被写体が微妙に変化する結果、異なる画像が異なる条件下で連続撮影されることとなり、十分な効果が得られない場合が頻繁に発生するという問題が生じている。
【００１０】
また、小型のデジタルカメラに内蔵されたストロボ装置では、キセノン管や、コンデンサ等を内蔵するための体積が限定されるため、ＧＮ及び光量が小さくなることによって、到達距離が制約されるだけでなく、フロントライトに限定されることにより、平板で立体感の少ない画像になり易いという問題が生じている。
【００１１】
さらに、レンブラントライト又はサイドライト等のように、照明角度や、照明位置の設定を変更することが可能なストロボブラケティング機能を有するストロボ装置が具備された小型のデジタルカメラのなかでも、大量に消費される電力に着目して、ストロボブラケティング撮影の撮影時間の短縮を図るように構成したものは存在していない。
【００１２】
本発明は前記した点に鑑みてなされたものであり、所望の撮影条件を満たす画像を効率よく取得するとともに、連続撮影時における撮影時間の短縮を図ることが可能な撮像装置、その制御方法及び制御プログラムを提供することを目的とする。
【課題を解決するための手段】
【００１３】
以上の課題を解決するために、請求項１に記載の発明に係る撮像装置は、一回のレリーズ操作によって複数の撮影を連続して行うブラケット撮影を撮像装置に行わせる撮影制御部と、複数の発光部材が異なる位置に配置された発光部と、前記ブラケット撮影を構成する前記複数の撮影中の一の撮影毎に閃光の発光を制御する電気信号を出力する発光制御部と、前記発光部材毎に個別に備えられた蓄電部と、前記発光制御部から出力された電気信号に基づいて前記複数の発光部材を個別に発光又は消光させ、一の発光部材の発光動作中に他の発光部材に設けられた蓄電部に対し充電を行う発光駆動部とを具備することを特徴とする。
【００１４】
請求項２に記載の発明に係る撮像装置は、前記複数の発光部材は、閃光放電管であることを特徴とする。
【００１５】
請求項３に記載の発明に係る撮像装置は、一回のレリーズ操作によって複数の撮影を連続して行うブラケット撮影を撮像装置に行わせる撮影制御部と、発光ダイオードで構成された複数の発光部材が異なる位置に配置された発光部と、前記ブラケット撮影を構成する前記複数の撮影中の一の撮影毎に閃光の発光を制御する電気信号を出力する発光制御部と、前記発光制御部から出力された電気信号に基づいて前記複数の発光部材を個別に発光又は消光させる発光駆動部とを具備することを特徴とする。
【００１６】
請求項４に記載の発明に係る撮像装置は、前記発光制御部は、前記一の撮影毎に異なる発光条件の閃光を発光するように制御することを特徴とする。
【００１７】
請求項５に記載の発明に係る撮像装置は、前記発光制御部は、前記一の撮影毎に、異なる発光条件の閃光を発光、又は異なる露出条件で閃光を発光するように制御することを特徴とする。
【００１８】
請求項６に記載の発明に係る撮像装置は、前記複数の発光部材は、各発光部材の光軸方向が所定の方向に沿って配置され、前記発光条件は、前記発光部の発光位置を含むことを特徴とする。
【００１９】
請求項７に記載の発明に係る撮像装置は、前記複数の発光部材は、各発光部材の光軸方向が平行となるように配置されたことを特徴とする。
【００２０】
請求項８に記載の発明に係る撮像装置は、前記複数の発光部材は、各発光部材の光軸方向がそれぞれ異なるように配置され、前記発光条件は、前記発光部から照射される光の照射角度を含むことを特徴とする。
【００２１】
請求項９に記載の発明に係る撮像装置は、前記発光部は、前記複数の発光部材の光軸方向を調整するための駆動装置を具備することを特徴とする。
【００２２】
請求項１０に記載の発明に係る撮像装置は、前記複数の発光部材は、当該複数の発光部材における２以上の発光部材が同時に発光するように、前記発光制御部により制御され、前記発光条件は、前記発光部の発光光量及び発光パターンの少なくとも１つを含むことを特徴とする。
【００２３】
請求項１１に記載の発明に係る撮像装置は、前記複数の発光駆動部は、蓄電部が設けられていることを特徴とする。
【００２４】
請求項１２に記載の発明に係る撮像装置は、前記発光ダイオードは、一の発光ダイオード単独で白色の閃光を発光する白色発光ダイオードであることを特徴とする。
【００２５】
請求項１３に記載の発明に係る撮像装置は、前記発光ダイオードは、各発光ダイオードが単色の閃光を発光する単色発光ダイオードであって、当該単色発光ダイオードから発光された単色光を加法混色することで白色の閃光を発光することを特徴とする。
【００２６】
請求項１４に記載の発明に係る撮像装置は、前記発光ダイオードは、前記白色発光ダイオード及び単色発光ダイオードからなり、当該単色発光ダイオードの発光面積が当該白色発光ダイオードの発光面積よりも小さいことを特徴とする。
【００２７】
請求項１５に記載の発明に係る撮像装置の制御方法は、一回のレリーズ操作によって複数の撮影を連続して行うブラケット撮影を行う撮影制御工程と、発光位置又は照射角度を含む発光条件を決定する発光条件決定工程と、前記発光条件に基づき、前記複数の撮影中の一の撮影毎に閃光の発光を制御する電気信号を出力する発光制御工程と、前記発光制御工程により出力された電気信号に基づき、複数の発光部材と、当該発光部材毎に個別に備えられた蓄電部とを備えた発光部を発光させる発光駆動工程と、一の発光部材の発光動作中に他の発光部材に対応した蓄電部に対し充電を行う充電工程とを具備することを特徴とする。
【００２８】
請求項１６に記載の発明に係る撮像装置の制御方法は、一回のレリーズ操作によって複数の撮影を連続して行うブラケット撮影を行う撮影制御工程と、発光位置又は照射角度を含む発光条件を決定する発光条件決定工程と、前記発光条件に基づき、前記複数の撮影中の一の撮影毎に閃光の発光を制御する電気信号を出力する発光制御工程と、前記発光制御工程により出力された電気信号に基づき、複数の発光ダイオードを備えた発光部を発光させる発光駆動工程とを具備することを特徴とする。
【００２９】
請求項１７に記載の発明に係る撮像装置の制御プログラムは、一回のレリーズ操作によって複数の撮影を連続して行うブラケット撮影を行う撮影制御機能と、発光位置又は照射角度を含む発光条件を決定する発光条件決定機能と、前記発光条件に基づき、前記複数の撮影中の一の撮影毎に閃光の発光を制御する電気信号を出力する発光制御機能と、前記発光制御機能により出力された電気信号に基づき、複数の発光部材と、当該発光部材毎に個別に備えられた蓄電部とを備えた発光部を発光させる発光駆動機能と、一の発光部材の発光動作中に他の発光部材に対応した蓄電部に対し充電を行う充電機能とを具備することを特徴とする。
【００３０】
請求項１８に記載の発明に係る撮像装置の制御プログラムは、一回のレリーズ操作によって複数の撮影を連続して行うブラケット撮影を行う撮影制御機能と、発光位置又は照射角度を含む発光条件を決定する発光条件決定機能と、前記発光条件に基づき、前記複数の撮影中の一の撮影毎に閃光の発光を制御する電気信号を出力する発光制御機能と、前記発光制御機能により出力された電気信号に基づき、複数の発光ダイオードを備えた発光部を発光させる発光駆動機能とを具備することを特徴とする。
【発明の効果】
【００３１】
本発明によれば、一回のレリーズ操作によって複数の撮影を連続して行うブラケット撮影をするための閃光発光装置を備える撮像装置であって、ブラケット撮影を構成する複数の撮影中の一の撮影毎に閃光の発光を制御する電気信号を出力する発光制御部と、複数の発光部材が異なる位置に配置された発光部と、発光部材毎に個別に備えられた蓄電手段を備え、複数の発光部材を個別に発光又は消光させる発光駆動部とを具備し、発光駆動部が、発光制御部から出力された電気信号に基づいて発光部の発光位置を制御するとともに、一の発光部材の発光動作中に他の発光部材に設けられた蓄電手段に対し充電を行うので、撮影の際に逐次閃光発光装置の発光部における発光位置を補正することなく、一回のレリーズ操作で複数枚の画像を連続撮影することが可能となる。
そのため、所望の撮影条件を満たす画像を効率よく取得することができるとともに、操作性の向上及び撮影時間の短縮が図られ、被撮影者にかかる負担の軽減を図ることができる。
また、一の発光部材が発光している間に他の発光部材における蓄電手段に対し充電が行われることで、蓄電手段に対する充電による撮影動作の中断を防止することが可能となり、連続撮影時における撮影時間を短縮し、撮影効率の向上を図ることができる。
【００３２】
さらに、発光部材に発光ダイオードが用いられる場合には、発光駆動部において蓄電手段が不要となり、昇圧された電圧によって発光ダイオードを直接発光させるので、装置構成の簡素化を図ることが可能となり、装置の小型化を図ることができる。
また、蓄電手段への充電作業を省略することが可能となり、連続して閃光を発光することができる。
【００３３】
一方、発光部材に発光ダイオードが用いられる場合であっても、発光駆動部に蓄電手段が具備されていてもよく、この場合には蓄電手段に対する充電作業が必要となるが、蓄電手段に充電された高い電圧によって発光ダイオードを発光することが可能となり、蓄電手段を具備しない場合と比較して、より高輝度な閃光を発光することができる。
【発明を実施するための最良の形態】
【００３４】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
ここで、本発明に係る撮像装置には、デジタルカメラや、携帯電話等を含み、以下の実施形態及び変形例において、デジタルカメラ及び携帯電話の詳細について説明する。
【００３５】
図１から図４０を参照しながら、本発明に係る撮像装置であるデジタルカメラについて説明する。
まず始めに、図１から図８を参照しながら、本実施形態におけるデジタルカメラ１の構成について説明する。
図１に示すように、本実施形態におけるデジタルカメラ１は、略矩形状に成型された筐体２を具備しており、この筐体２の上面には、図１から図４に示すように、電源釦３と、モード切替部４と、シャッタ釦５とが配設されている。
【００３６】
電源釦３は、押動自在な釦スイッチにより構成され、押動操作によって電源をオン又はオフに切り替えるようになっている。
【００３７】
モード切替部４は、一定方向に移動自在なスライドスイッチにより構成されている。本実施形態におけるデジタルカメラ１には、図５に示すように、「撮影モード」と、「再生モード」とが存在するため、モード切替部４をスライド操作することにより、「撮影モード」と、「再生モード」とを切り替えるようになっている。
【００３８】
シャッタ釦５は、押動自在な釦スイッチにより構成され、撮影モード時には、押動操作によってレリーズを指示するようになっている。また、再生モード若しくは設定モード時には、押動操作によって各種案内画面若しくは選択画面におけるコマンドの実行を指示するようになっている。このシャッタ釦５によって入力された電気信号は、図６に示すように、筐体２の内部に設けられた入力回路６に出力されるようになっている。
【００３９】
一方、図３及び図６に示すように、筐体２の下面には、開閉自在な板状の蓋部７と、通信部８とが具備されている。
蓋部７の内側であって、筐体２の内部には、２つの格納部９，１０が設けられている。これら格納部９，１０は、内部中空となっており、電源である電池１１と、メモリーカード等の記録媒体１２とが、それぞれ専用の格納部９，１０に着脱自在に装着されるようになっている。
【００４０】
このうち、電池格納部９は、図６に示すように、筐体２の内部に設けられた電源制御部１３と接続され、格納された電池１１から電流が出力されるようになっている。
また、記録媒体格納部１０には、記録媒体Ｉ／Ｆ１４が設けられ、この記録媒体Ｉ／Ｆ１４を介して、記録媒体１２との間で画像データ等を送受信するようになっている。
【００４１】
通信部８には、入出力Ｉ／Ｆ１５と、ＵＳＢや、ＬＡＮ等の通信Ｉ／Ｆ１６とが具備されており、入出力Ｉ／Ｆ１５を介して、通信Ｉ／Ｆ１６に接続された外部機器との間で画像データ等を送受信するようになっている。
【００４２】
また、筐体２の背面には、図３に示すように、第１表示部１７と、光学ファインダ１８と、操作釦１９と、案内表示釦２０と、画面表示釦２１とが配設されている。
第１表示部１７は、ＬＣＤ（Liquid Crystal Display）等により構成されており、撮影モード時には、電子ファインダとして、被写体や、撮影条件等の撮影情報又は設定情報の各種情報が表示され、再生モード時には、各種案内画面若しくは指示画面又は選択した画像が表示されるようになっている。また、第１表示部１７には、指又は入力ペン等によるタッチ入力により、各種入力指示を行うタッチパネルとしての機能も具備されている。
【００４３】
光学ファインダ１８は、図６に示すように、第２表示部２２と、ファインダミラー２３と、ファインダレンズ２４とから構成されている。このうち、第２表示部２２には、撮像する画像の構図や、焦点距離とともに、上述した撮影情報又は設定情報が表示され、これら画像等がファインダミラー２３によって反転されて、ファインダレンズ２４を介して視認されるようになっている。このように、第１表示部１７と同様に、第２表示部２２にも撮影情報及び設定情報が表示されることで、撮影者の利便性の向上が図られている。
【００４４】
前述したように、「撮影モード」と「再生モード」の切り替えは、モード切替部４をスライド操作することによって行うようになっており、「撮影モード」には、図５に示すように、「通常撮影モード」と、「ブラケット撮影モード」とが存在する。また、「撮影モード」に設定した初期状態では、「通常撮影モード」が選択されるようになっている。
操作釦１９は、十字方向に押動自在な十字キーにより構成されており、押動操作によって各種案内画面若しくは指示画面におけるコマンドの選択をすることが可能なようになっている。また、操作釦１９は、「通常撮影モード」時に十字キーを左方向に押動すると「ブラケット撮影モード」に切り替わり、「ブラケット撮影モード」時に十字キーを左方向に押動すると「通常撮影モード」に切り替わるようになっている。
【００４５】
案内表示釦２０は、押動自在な釦スイッチにより構成されており、この案内表示釦２０を押動操作することで、各撮影（再生）モードと、撮影条件等を設定するための各設定モードを相互に切り替えることができるようになっている。すなわち、本実施形態におけるデジタルカメラ１には、「通常撮影設定モード」及び「ブラケット撮影設定モード」及び「再生設定モード」の計３種類の設定モードが存在し、その切り替え方法は下記の通りである。
案内表示釦２０を上述した「通常撮影モード」時に押動すると「通常撮影設定モード」に切り替わり、「通常撮影設定モード」時に案内表示釦２０を押動すると「通常撮影モード」に切り替わるようになっている。
また、案内表示釦２０を上述した「ブラケット撮影モード」時に押動すると「ブラケット撮影設定モード」に切り替わり、「ブラケット撮影設定モード」時に案内表示釦２０を押動すると「ブラケット撮影モード」に切り替わるようになっている。
同様にして、案内表示釦２０を上述した「再生モード」時に押動すると「再生設定モード」に切り替わり、「再生設定モード」時に案内表示釦２０を押動すると「再生モード」に切り替わるようになっている。
【００４６】
画面表示釦２１は、押動自在な釦スイッチにより構成され、押動操作によって第１表示部に各種情報を表示するか否か、また、表示される情報量をどの程度にするか、さらには、スルー画像自体を表示するか否かの選択を行うようになっている。
【００４７】
さらに、筐体２の前面には、図１及び図４に示すように、撮像部２５と、閃光発光装置２６とが配設されている。
撮像部２５は、図７に示すように、レンズ部２７と、鏡面部２８と、シャッタ２９と、撮像素子３０とから構成されており、筐体２の前面側から入射する光束の軸（以下、光束軸）上に沿って、レンズ部２７、鏡面部２８、シャッタ２９、撮像素子３０の順に配設されている。
【００４８】
レンズ部２７は、光学系からなる撮像レンズ３１と、単レンズからなる測定レンズ３２とから構成されている。このうち、撮像レンズ３１は、凸レンズと凹レンズとが貼り合わされた２つのダブレットを含む６枚の球面レンズにより構成されている。また、撮像レンズ３１における所定のレンズには、光束軸方向に沿ったレンズの位置を調整するためのレンズ駆動部３３が具備されており、焦点距離を調整することが可能なようになっている。さらに、このような撮像レンズ３１には、所定のレンズ間に、絞り機構３４が配設されており、花弁状に形成された開閉自在な絞り環（図示せず）が、連動環（図示せず）の動作に付随して開閉されることにより、筐体２の内部に入射する光束量が調節されるようになっている。
【００４９】
一方、測定レンズ３２は、筐体２の内部であって、測定レンズ３２の背面側に設けられた検出部３５に、光束を入射させるようになっている。この検出部３５では、入射した光束に基づいて光束量及び光束強度を検出するようになっている。
【００５０】
鏡面部２８は、表面に鏡面加工が施されたメインミラー３６と、サブミラー３７とから構成されている。
このうち、メインミラー３６は、光束軸に対して所定の角度で交差するように設けられ、シャッタ釦５が押動されると同時に、このメインミラー３６における背面側の一端を中心として、上方に回動するようになっている。また、メインミラー３６の一部には、半透過部分が設けられており、撮像レンズ３１を介してメインミラー３６に入射された光束の大部分は、メインミラー３６で反射されて第２表示部２２に出射されるが、この半透過部分に入射された光束は、入射面とは反対面側に透過されて、サブミラー３７に出射されるようになっている。
サブミラー３７には、メインミラー３６を透過した光束が入射され、上述した検出部３５に入射されるようになっている。
【００５１】
シャッタ２９は、電気信号に基づいて開閉動作や、走行速度等が制御される電子シャッタであり、レンズ部２７を介して入射される光束量が不足している場合には、駆動機構（図示せず）が走行速度を制御することにより、シャッタ２９の開閉時間、すなわち、撮像素子３０に光束が入射する時間を調節するようになっている。
【００５２】
なお、シャッタ２９の開閉方式は、上下に開閉する縦走りシャッタや、左右に開閉する横走りシャッタの何れも適用可能である。また、本実施形態におけるシャッタは、電子シャッタであるが、これに限定されず、機械的に制御されるメカニカルシャッタ等であってもよい。
【００５３】
撮像素子３０は、ＣＣＤ（Charge Coupled Device）や、ＣＭＯＳ（Complementary Metal Oxide Semiconductor）等のイメージセンサから構成され、レンズ部２７の撮像レンズ３１を介して入射された被写体の像の光束を、電気信号に変換して、出力するようになっている。
【００５４】
また、閃光発光装置２６は、図６に示すように、発光部３８と、発光駆動部３９とから構成されている。
発光部３８は、複数の発光部材４０から構成されており、これら発光部材４０には、例えばキセノン管のような閃光放電管が用いられ、長手方向に沿って配列されている。
【００５５】
なお、発光部３８は、複数の発光部材４０が配列されている構成に限定されず、１つの発光部材４０を複数の区画に区分けしたような構成であってもよい。
【００５６】
発光駆動部３９は、図８に示すように、昇圧充電回路４１と、複数のトリガーコイル４２と、複数のメインコンデンサ４３と、複数のトリガースイッチ４４と、複数の発光停止スイッチング素子４５とから構成されている。
このうち、昇圧充電回路４１は、３．０〜４．２Ｖの電池電圧を、３３０Ｖ程度に昇圧させて、蓄電手段であるメインコンデンサ４３に出力させるようになっている。
トリガーコイル４２は、トリガー用コンデンサ４６と、トリガー用抵抗４７と、コイル４８を具備し、メインコンデンサ４３と同時にトリガー用コンデンサ４６に充電された電荷が、コイル４８の一次側を通して放電し、コイル４８の二次側において、３３００Ｖ程度のトリガー電圧を発生させるようになっている。
メインコンデンサ４３は、発光部材４０ごとに個別に設けられており、昇圧充電回路４１から出力された電圧が充電されるようになっている。
トリガースイッチ４４は、高耐圧かつ高速な特性を有するサイリスタ、パワーＦＥＴ（Field Effect Transistor）又はＩＧＢＴ（Insulated Gate Bipolar Transistor）等からなる。これら発光停止スイッチング素子４５は、トリガー信号に応じて作動するようになっている。
発光停止スイッチング素子４５は、高耐圧のスイッチング素子からなり、トリガーコイル４２に対して発光停止信号を出力するようになっている。
【００５７】
このように構成された発光駆動部３９は、各発光部材４０に対して、一のトリガーコイル４２、メインコンデンサ４３、トリガースイッチ４４及び発光停止スイッチング素子４５がそれぞれ接続されている。したがって、発光部材４０、トリガーコイル４２、メインコンデンサ４３、トリガースイッチ４４及び発光停止スイッチング素子４５によって、１つの組が構成されるようになっている。
【００５８】
一方、筐体２の内部には、図６に示すように、撮影制御部４９が設けられており、この撮影制御部４９は、動作制御部５０と、入力画像処理部５１と、測定部５２と、発光制御部５３とから構成されている。
動作制御部５０は、出力する電気信号に基づいて撮像レンズ３１における所定のレンズを制御させることにより、焦点距離を制御するようになっている。また、絞り機構３４における連動環や、シャッタ２９における駆動機構を制御させることにより、レンズの球面収差や、シャッタ２９の走行速度をそれぞれ制御するようになっている。
【００５９】
入力画像処理部５１は、ＣＤＳ（Correlated Double Sampling）／ＡＧＣ（Automatic Gain Control）回路と、Ａ／Ｄ変換回路（共に図示せず）とから構成されている。
このうち、ＣＤＳ／ＡＧＣ回路は、撮像素子３０から出力された電気信号におけるノイズを除去するとともに、露光時間の不足により撮像素子３０から出力された電圧が小さい場合に、適切なゲインを設定し、増幅した信号をＡ／Ｄ変換回路に出力するようになっている。
また、Ａ／Ｄ変換回路は、入力されたアナログの画像データを、デジタルの画像データに変換し、出力するようになっている。
【００６０】
測定部５２は、検出部３５によって検出された光束量及び光束強度に基づいて、測光値、測距値及び色温度を算出するようになっている。
【００６１】
発光制御部５３は、発光部３８の発光回数、発光間隔、発光位置又は発光位置に伴う被写体に対する照射角度を制御するための電気信号を、発光駆動部３９に出力するようになっている。なお、発光制御部５３は、調光用の事前発光として被写体に対して微小時間のみ発光する、いわゆるプリ発光における調光用測光値、または本発光における調光用測光値に基づいて、発光光量及び発光時間を制御するようになっていてもよい。
【００６２】
上記した撮影制御部４９は、ＣＰＵ（Central Processing Unit）からなる制御部５４と接続されており、例えば、撮影者の設定した撮影条件に応じて測光値等から必要な露出量が算出される等、入力データが演算及び加工されるようになっている。また、この制御部５４は、筐体２の内部に配設された記憶部５５と、画像処理部５６と、圧縮処理部５７と、表示制御部５８，５９にそれぞれ接続されている。
【００６３】
記憶部５５は、情報を一時的に記憶する揮発性のＲＡＭ（Random Access Memory）と、情報が記憶された不揮発性のＲＯＭ（Read Only Memory）とから構成されている。
このうち、ＲＯＭには、各種システムプログラム、アプリケーションプログラム及びデータが記憶されるようになっている。
一方、ＲＡＭには、プログラムを展開するためのプログラム領域や、操作釦１９から入力されるデータ又は制御部５４による各種処理結果等を保存するためのデータ領域等が形成されるようになっている。
また、特にデータ領域として、記憶容量は小さいが書き込み速度が速いバッファメモリと、書き込み速度は遅いが記憶容量が大きい画像メモリが、それぞれ別体に設けられている。
【００６４】
画像処理部５６は、撮像素子３０から出力された画像データの電気信号に対して、画素補完処理又はγ補正処理等の各種画像処理が実行され、デジタルの画像データとして出力するようになっている。
【００６５】
圧縮処理部５７は、例えばＪＰＥＧ（Joint Photographic Expert Group）、ＭＰＥＧ４（Moving Picture Expert Group ４）、ＴＩＦＦ（Tagged Image File Format）等の圧縮方式により、画像データを圧縮符号化又は伸長複号化するようになっている。
【００６６】
表示制御部５８，５９は、第１表示制御部５８と、第２表示制御部５９とに分けられ、各表示制御部５８，５９は、制御部５４からの表示信号に基づき、撮影制御部４９から出力された画像データがビデオ信号に変換させ、第１表示部１７と、第２表示部２２とにそれぞれ出力されるようになっている。このうち、第１表示部１７には、表示メモリ６０が具備され、デジタルの画像データが一時的に記憶されるようになっている。
【００６７】
次に、図９を参照しながら、本実施形態におけるデジタルカメラ１の作用について説明する。
【００６８】
まず始めに、案内表示釦２０を押動して「撮影モード」に切り替えると、自動的に「通常撮影モード」が選択されて、図９に示すように、「通常撮影設定モード」において設定された撮影条件（例えば、発光の条件を「強制発光」、「発光禁止」又は「オート発光」の何れかを選択する等）が読み出され（ステップＳ１）、さらに、これら撮影条件に基づいた各種処理が実行される（ステップＳ２）。
各種処理の実行後、第１表示部１７及び第２表示部２２に各種情報が表示されるとともに、第１表示部１７にはスルー画像が各種情報と併せて表示される（ステップＳ３）。このうち、第１表示部１７に表示されたスルー画像に基づいてデジタルカメラ１を動かすことで視点を調整する。
【００６９】
その後、撮影者はシャッタ釦５を押動するか否かを選択し（ステップＳ４）、シャッタ釦５を押動しない場合には（ステップＳ４；ＮＯ）、シャッタ釦５を押動するか否かを選択する機会が再度与えられる（ステップＳ４）。一方、シャッタ釦５を押動した場合には（ステップＳ４；ＹＥＳ）、通常撮影処理が実行され（ステップＳ５）、撮像部２５によって撮影された画像データが、入力画像処理部５１や制御部５４等を介して第１表示部１７に出力されるとともに、内蔵された記憶部５５又は装着された着脱自在な記録媒体１２に記憶されて（ステップＳ６）、一連の撮影動作が完了する。
その後、リターン処理が実行されることにより（ステップＳ７）、第１表示部１７及び第２表示部２２に各種情報が更新されて表示されるとともに、第１表示部１７にはスルー画像が各種情報と併せて表示される（ステップＳ３）。
【００７０】
このとき、図１０に示すように、予め発光部３８における複数の発光部材４０を異なる位置又は方向及び角度に設置させ、それらの発光部材４０の中から任意の発光部材を選択することによって発光位置又は照射角度を補正する連続撮影（以下、ストロボブラケティング撮影）を行う場合には、撮影動作の前に各種条件を設定する必要がある。
そこで、図１１から図１５を参照しながら、ストロボブラケティング撮影時における撮影条件（以下、ブラケット条件（発光条件を含む））の設定方法及び動作方法の詳細について説明する。
【００７１】
まず始めに、「通常撮影モード」時に、操作釦１９である十字キーを左方向に押動することで、「ブラケット撮影モード」に切り替える。そして、「ブラケット撮影モード」時に、案内表示釦２０を押動することで、「ブラケット撮影設定モード」に切り替え、ブラケット条件である補正間隔、補正順序若しくは撮影順序又は総撮影枚数（奇数）を、所望の数値に設定する。
【００７２】
補正間隔は、発光部３８において発光する発光部材４０の位置や、発光部材４０の照射角度を、１枚ずつの撮影毎にどの程度の変化量で撮影するか（発光条件）について設定することができるようになっている。
【００７３】
補正順序若しくは撮影順序は、昇順（＋方向、被写体に対して右から左の方向）、降順（−方向、被写体に対して左から右への方向）、「０＋−」の順（中央→左…→右…の順）又は「０−＋」の順（中央→右…→左…の順）等を選択して設定することができるようになっている。
例えば、「０」を補正が施されていない初期の撮影条件とすると、上記した昇順において、撮影枚数を「３枚」と設定した場合には、（−１補正）→（０：補正なし）→（＋１補正）の順に補正した発光位置や、照射角度の条件下で連続撮影が行われる。
したがって、ストロボブラケティング撮影の際に、ブラケット条件である切片を「Ｆ０」、変化量を「ΔＦ」、撮影順序を「昇順」、総撮影枚数を「ｎ」とした場合、下記式（１）に基づいて、（Ｆ０−ΔＦ）→（Ｆ０）→（Ｆ０＋ΔＦ）の順に連続撮影が行われる。
また、上述したブラケット条件のうち、撮影順序を「降順」とした場合、下記式（１）に基づいて、（Ｆ０＋ΔＦ）→（Ｆ０）→（Ｆ０−ΔＦ）の順に連続撮影が行われる。
【００７４】
Ｆ（ｘ）＝Ｆ０＋Ｋ×ΔＦ  ……（１）
ここで、Ｆ（ｘ）は、発光位置又は照射角度であり、例えば、Ｆ（１）は１枚目の撮影条件を示す。また、ｘは、連続撮影中の撮影順番である。さらに、Ｋは、「昇順」の時は、（ｘ−（ｎ＋１）／２）であり、「降順」の時は、−（ｘ−（ｎ＋１）／２）である。
【００７５】
さらに、上述したブラケット条件のうち、撮影枚数を「５枚」に、撮影順序を「０＋−」にそれぞれ設定した場合には、（０：補正なし）→（＋１補正）→（＋２補正）→（−１補正）→（−２補正）の順に、すなわち、最初の１枚を補正なしで撮影が行われた後、上記式（１）に基づいて順次撮影が行われる。
ここで、撮影順序が「０＋−」に設定された場合、上記式（１）におけるＫは、ｘ≦（ｎ＋１）／２の時は、ｘ−１であり、ｘ＞（ｎ＋１）／２の時は、−（ｘ−（ｎ＋１）／２）である。
【００７６】
なお、撮影順序は、上述した「昇順」、「降順」及び「０＋−」に限定されず、その他の撮影順序に適宜設定変更してもよい。
【００７７】
また、ここで、撮影枚数は、例えば、１，３，５，７，…のように奇数枚に設定されるように構成されているが、発明の趣旨はこれに限定されず、任意の自然数であってよい。その時の構成としては、例えば８枚に設定された時は、９枚に設定されたものとして撮影処理を行い、撮影枚数が８枚になった時点で処理完了とみなし、最後の１枚を撮影しないような構成が考えられる。
ここで、撮影枚数と、閃光発光装置２６の発光回数とは、同一となるようになっている。
【００７８】
さらに、これらブラケット条件の設定方法は、予め設定された数値を選択する方法であってもよいし、設定された数値を加減させる方法であってもよいし、任意の数値を入力する方法であってもよい。
【００７９】
さらに、ブラケット条件は、「ブラケット撮影設定モード」において、操作釦１９を押動操作することで設定するようになっているが、別途ブラケット条件を設定するための専用の釦が設けられていてもよい。
【００８０】
上述したブラケット条件の設定が完了した後、「ブラケット撮影設定モード」時において、十字キーを左方向に押動し、再度「ブラケット撮影モード」に切り替えると、図１１に示すように、撮影条件が読み出され（ステップＳ１１）、この撮影条件に基づいた各種処理が実行される（ステップＳ１２）。
ここで、「ブラケット撮影モード」において読み出される撮影条件とは、「通常撮影モード」において予め設定された露出条件等と、上述したブラケット条件とを併せた撮影条件を示す。
【００８１】
さらに、第１表示部１７及び第２表示部２２に各種情報が表示され、第１表示部１７にはスルー画像が併せて表示される（ステップＳ１３）。その後、閃光発光装置２６における発光駆動部３９のメインコンデンサ４３の充電状態が、第１表示部１７及び第２表示部２２において確認される（ステップＳ１４）。この際、メインコンデンサ４３の充電状態が不完全であると判断された場合には（ステップＳ１４；ＮＯ）、閃光発光装置２６における発光駆動部３９の昇圧充電回路４１によって、約３．０〜４．２Ｖの電池電圧を約３３０Ｖに昇圧させることにより、メインコンデンサ４３に対して充電処理が行われる（ステップＳ１５）。
【００８２】
一方、メインコンデンサ４３の充電状態が完全であると判断された場合には（ステップＳ１４；ＹＥＳ）、撮影者がシャッタ釦５を押動するか否かを選択し（ステップＳ１６）、シャッタ釦５を押動しない場合には（ステップＳ１６；ＮＯ）、シャッタ釦５を押動するか否かを選択する機会が再度与えられる（ステップＳ１６）。これに対し、シャッタ釦５を押動した場合には（ステップＳ１６；ＹＥＳ）、自動調光機能によって閃光発光装置２６における発光部３８の一部でプリ発光が行われ（ステップＳ１７）、被写体からの反射光を受光することにより、調光用の測光処理が実行される（ステップＳ１８）。
【００８３】
次に、上述した「ブラケット撮影設定モード」において設定されたブラケット条件である切片「Ｆ０」，変化量「ΔＦ」，総撮影枚数「ｎ」（奇数）が発光制御部５３に順次設定される（ステップＳ１９）。さらに、撮影順序が確認され（ステップＳ２０）、「昇順」であると認識された場合には（ステップＳ２１）、撮影順序ａが「＋１」として設定される（ステップＳ２２）。
一方、撮影順序が「降順」であると認識された場合には（ステップＳ２３）、撮影順序ａが「−１」として設定される（ステップＳ２４）。
【００８４】
さらに、撮影枚数ｘが「１」に設定され（ステップＳ２５）、下記式（２），（３）に基づいて「Ｋ」及び「Ｆ（ｘ）」の値がそれぞれ算出される（ステップＳ２６）。そして、これら算出結果に基づいて撮影処理が行われる（ステップＳ２７）。
【００８５】
Ｋ＝ａ×（ｘ−（ｎ＋１）／２）  …（２）
【００８６】
Ｆ（ｘ）＝Ｆ０＋Ｋ×ΔＦ  …（３）
【００８７】
この撮影処理においては、図１３に示すように、発光させる発光部材４０の発光位置が設定された後（ステップＳ２８）、発光させる発光部材４０のメインコンデンサ４３の充電状態が確認され（ステップＳ２９）、メインコンデンサ４３の充電状態が不完全であると判断された場合には（ステップＳ２９；ＮＯ）、充電処理が行われる（ステップＳ３０）。
【００８８】
次に、メインコンデンサ４３の充電状態が完全であると判断されると（ステップＳ２９；ＹＥＳ）、設定された撮影条件及びプリ発光時の測光値に基づいて、発光光量を定める要素であるＧＮと、露出条件を定める要素である絞り値とが、下記式（４）、（５）をそれぞれ満たすように調整される（ステップＳ３１）。
【００８９】
【数１】
2006126814.tif 000003
…（４）
ここで、Ｆは絞り値、Ｌは撮影距離、ＳはＩＳＯ感度である。
【００９０】
【数２】
2006126814.tif 000004
…（５）
ここで、Ｆは絞り値、ＳはＩＳＯ感度である。
【００９１】
そして、露出条件及び測光値に基づいて露出値が設定された後（ステップＳ３２）、図１４に示すように、発光制御部５３から出力されたトリガー信号によって、トリガースイッチ４４が作動し、発光部３８における各閃光放電管４０のトリガーコイル４２が起動される。
【００９２】
さらに、トリガーコイル４２のトリガー用コンデンサ４６に充電された電荷が、コイル４８の一次側を通して放電し、二次側において、約３３００Ｖのトリガー電圧が発生し、発光部３８の閃光放電管４０に印加される。これによって、閃光放電管４０の内部にアーク放電が発生して、閃光が発光され（ステップＳ３３）、撮像画像が画像データとして記憶部５５のＲＡＭ（バッファメモリ）に記録される（ステップＳ３４）。
なお、放電による発光は、発光停止スイッチング素子４５から出力された発光停止信号によって自動的に発光が停止される。
【００９３】
その後、記憶部５５のＲＡＭに記録された画像データがＲＡＭ（画像メモリ）に出力転送され（ステップＳ３５）、下記式（６）に示す条件を満たしているか否かが確認される（ステップＳ３６）。この際、撮影枚数ｘが下記式（６）に示す条件を満たしていないと判断されると（ステップＳ３６；ＮＯ）、撮影枚数ｘの値が「１」加算され（ステップＳ３７）、後続の処理が再び実行される（ステップＳ２６〜Ｓ３５）。
【００９４】
ｘ≧ｎ  ……（６）
【００９５】
このとき、照射する閃光の発光位置や照射角度を１枚毎に変更して撮影されるので、所望する閃光の発光光量又は陰影の強弱を有する画像を取得することができる。また、被写体が人物の場合には、立体感、彫り及び陰影の深さ、顔の表情等を少しずつ変更して撮影した複数の画像を取得することができる。さらに、撮影した画像を選択することにより、所望の顔や、表現を有する画像を容易に取得することができる。
【００９６】
そして、撮影枚数ｘが上記式（６）に示す条件を満たしていると判断されると（ステップＳ３６；ＹＥＳ）、圧縮処理部５７において圧縮符号化され、記憶部５５又は装着された記録媒体１２に記録されて（ステップＳ３８）、一連のストロボブラケティング撮影が完了する。
その後、リターン処理が実行されることにより（ステップＳ３９）、第１表示部１７及び第２表示部２２に各種情報が更新されて表示され、第１表示部１７にはスルー画像が各種情報と併せて表示される（ステップＳ１３）。
【００９７】
さらに、ある特定の閃光放電管が発光している間に、他の閃光放電管に対応するメインコンデンサ４３に充電が行われるので、メインコンデンサ４３の充電による撮影動作の中断を防止することが可能となり、これによって、連続撮影時における撮影時間が短縮され、撮影効率の向上を図ることができる。
【００９８】
なお、撮影順序を、「昇順」及び「降順」以外に設定した場合、例えば「０＋−」に設定した場合には、図１６に示すように、まず始めに撮影順序が「０＋−」であると認識された後（ステップＳ４０）、撮影枚数ｘが「１」に設定される（ステップＳ４１）。そして、下記式（７），（８）に基づいて「Ｋ」及び「Ｆ（ｘ）」の値がそれぞれ算出され（ステップＳ４２）、さらに、これら算出結果に基づいて撮影処理が行われる（ステップＳ４３）。
【００９９】
Ｋ＝（ｘ−１）  …（７）
【０１００】
Ｆ（ｘ）＝Ｆ０＋Ｋ×ΔＦ  …（８）
【０１０１】
撮影処理の実行によって得られた画像データは、ＲＡＭ（画像メモリ）に出力転送され（ステップＳ４４）、撮影枚数ｘが下記式（９）に示す条件を満たしているか否かが確認される（ステップＳ４５）。
【０１０２】
ｘ＞（ｎ＋１）／２…（９）
【０１０３】
ここで、撮影枚数ｘが上記式（９）に示す条件を満たしていないと判断されると（ステップＳ４５；ＮＯ）、撮影枚数ｘの値が「１」加算され（ステップＳ４６）、再び上記式（７），（８）に基づいて「Ｋ」及び「Ｆ（ｘ）」の値がそれぞれ算出されて（ステップＳ４２）、後続の処理が実行される（ステップＳ４３，４４）。
【０１０４】
一方、上記条件を満たしていると判断されると（ステップＳ４５；ＹＥＳ）、下記式（１０），（１１）に基づいて「Ｋ」及び「Ｆ（ｘ）」の値がそれぞれ算出され（ステップＳ４７）、さらに、これら算出結果に基づいて撮影処理が実行される（ステップＳ４８）。
【０１０５】
Ｋ＝−（ｘ−（ｎ＋１）／２）…（１０）
【０１０６】
Ｆ（ｘ）＝Ｆ０＋Ｋ×ΔＦ  …（１１）
【０１０７】
撮影処理の実行によって得られた画像データは、ＲＡＭ（画像メモリ）に出力転送された後（ステップＳ４９）、撮影枚数ｘが下記式（１２）に示す条件を満たしているか否かが確認される（ステップＳ５０）。
【０１０８】
ｘ≧ｎ  …（１２）
【０１０９】
この際、撮影枚数ｘが下記式（１２）に示す条件を満たしていないと判断されると（ステップＳ５０；ＮＯ）、撮影枚数ｘの値が「１」加算され（ステップＳ５１）、再び上記式（１０），（１１）に基づいて「Ｋ」及び「Ｆ（ｘ）」の値がそれぞれ算出されて（ステップＳ４７）、後続の処理が実行される（ステップＳ４８，４９）。
そして、上記式（１２）に示す条件を満たしていると判断されると（ステップＳ５０；ＹＥＳ）、図１２に示す後続の処理が実行される（ステップＳ３８，３９）。
【０１１０】
以上より、本発明に係る撮像装置であるデジタルカメラ１によれば、発光駆動部３９が、発光制御部５３から出力された電気信号に基づいて発光部３８の発光位置を制御するので、撮影の際に逐次閃光発光装置２６の発光位置を補正することなく、一回のレリーズ操作で複数枚の画像を連続撮影することが可能となり、これによって、操作性の向上を図るとともに、撮影時間の短縮を図ることで、撮影者にかかる負担の軽減を図ることができる。
【０１１１】
また、発光位置又は照射角度が異なる複数枚の画像を連続撮影するので、所望の撮影条件を満たす画像を効率よく取得することが可能となり、これによって、再度の撮影を防止し、撮影効率の向上とともに、撮影者にかかる負担の軽減を図ることができる。
【０１１２】
さらに、各閃光放電管４０にトリガーコイル４２と、メインコンデンサ４３とがそれぞれ具備されているので、ある特定の閃光放電管が発光することによって対応するメインコンデンサ４３に充電された電力が消費された場合であっても、他の閃光放電管に対応するメインコンデンサ４３に充電された電力が消費されること防止することが可能となり、これによって、閃光の発光をより安定して制御することができる。
【０１１３】
また、本実施形態では、自動調光機能がＯＮに設定されているが、この場合においては、短時間のプリ発光による被写体からの反射光の測光値に基づいて設定された発光時間の経過後の時点で、または発光中において、コンパレータ等によって比較検出された発光量が適正露出量になった時点で、スイッチング素子により発光が停止される。
【０１１４】
さらに、設定された撮影条件、露出条件又はプリ発光による測光値等に基づいて、適切な露出条件となるように発光光量が自動設定されるとともに、設定された撮影条件に基づいて、設定した補正順序及び補正間隔で１枚ずつ発光位置や照射角度等のブラケット条件を順次補正して、一回のレリーズ操作で設定枚数の撮影を連続して行うことができる。
【０１１５】
［第１変形例］
本実施形態では、発光部３８における発光部材４０を個別に順次切り替えながら発光させることによって、発光位置又は照射角度を変化させることにより、ストロボブラケティング撮影を行っているが、順番に発光する構成でなくとも構わず、様々な発光パターンが考えられ、例えば、図１７に示すように、発光部３８における発光部材４０を１個おきに順次切り替えながら発光させるようになっていてもよい。これによって、照射角度の補正を行うことが可能となり、所望の陰影を有する画像を効率よく取得することができる。
【０１１６】
また、図１８に示すように、発光部材４０を隣接する複数個ずつ順次切り替えることにより、ストロボブラケティング撮影が行われてもよい。これによって、発光光量を増大させたストロボブラケティング撮影を行うことが可能となり、例えば、照明が少ない状況であっても所望の光量を有する画像を効率よく取得することができる。
【０１１７】
さらに、発光部材４０の個数、位置及び範囲を順次切り替えることにより、ストロボブラケティング撮影が行われてもよい。例えば、図１９に示すように、１枚目の撮影時には、発光部３８の中央に配置された発光部材を発光させ、２枚目の撮影時には、１枚目の撮影時に発光させた発光部材に隣接して配置された発光部材、すなわち計２つの発光部材を発光させる。後続の３枚目の撮影時には、２枚目の撮影時に発光させた発光部材に隣接して配置された計３つの発光部材を発光させ、同様に、４枚目の撮影時には、３枚目の撮影時に発光させた発光部材に隣接して配置された計４つの発光部材を発光させる。
このような構成からなる閃光発光装置２６は、発光部３８における照射角度及び発光光量の加減補正を行うことが可能となり、所望の光量及び陰影を有する画像を効率よく取得することができる。
【０１１８】
［第２変形例］
また、本実施形態では、発光部３８における発光する発光部材４０を切り替えることにより、水平方向からの照明、すなわち、側光によるストロボブラケティング撮影が行われているが、これに限定されず、図２０に示すように、筐体２を９０度回転させ、上下方向からの照明、すなわち、仰角光及び俯角光によるストロボブラケティング撮影が行われてもよい。これによって、目的に応じて照射角度を適宜変更することで、撮影者の利便性の向上を図ることができる。
【０１１９】
また、閃光発光装置２６は、図２１に示すように、筐体２の前面において、撮像レンズ３１を囲繞するように円周方向に沿って一列に配列された複数の発光部材４０から構成されていてもよい。このような配置構成の場合、上下方向又は水平方向に沿った照明に限定されず、多様な照射角度によるストロボブラケティング撮影を行うことができる。
【０１２０】
さらに、図１０に示すように、予め発光部３８における複数の発光部材４０を異なる方向及び角度に設置させ、それらの発光部材４０の中から任意の発光部材を選択して、所望の照射角度に切り替えるようにしてもよい。これによって、発光部材４０が被写体の正面に位置しない時であっても、被写体に効率よく閃光を照射することができる。
この場合、発光部３８における発光部材４０の設置角度をモーター等の駆動装置３９１によって、各発光部材４０が回転することにより、発光部材４０の発光面の傾斜を調整可能に構成されていてもよい。これにより、照射角度をより細かく制御することができる。
【０１２１】
［第３変形例］
さらに、本実施形態では、閃光発光装置２６における発光部材４０に閃光放電管であるキセノン管が用いられているが、これに限定されず、白色ＬＥＤ（Light Emitting Diode）が用いられてもよい。ただし、発光部材４０にＬＥＤを用いた場合における発光駆動部の回路構成は、発光部材４０にキセノン管を用いた場合とは異なるため、図２２から図２４を参照しながら、以下詳細について説明する。なお、その他の構成については、本実施形態と同様であるため、説明を省略する。
【０１２２】
発光部３８における発光部材４０に白色ＬＥＤを用いる場合、ＬＥＤ用の発光駆動部７１は、図２２に示すように、昇圧充電回路４１、トリガーコイル４２及びメインコンデンサ４３に替わって、ＤＣ／ＤＣ変換器及びチャージポンプ等により構成されたレギュレータ７２と、制限抵抗７３と、発光制御スイッチ７４とを具備する。
このように構成されたＬＥＤ用の発光駆動部７１は、発光制御部５３から出力された電気信号に基づいて、レギュレータ７２で電圧が数〜数十Ｖに昇圧され、この昇圧された電圧により、各発光部材４０を直接発光させるようになっている。
特にＬＥＤは、１回の発光に必要とする電圧が低いことから蓄電手段を持たなくても良いが、ここでは、レギュレータの前後に蓄電手段であるコンデンサ７６、７７を設置することにより充電可能に構成している。
これにより、発光される閃光をより明るくすることができ、数多く連続して撮影する際においても、充電量が少なくて（蓄電手段を持たない場合はしなくて）済むため、連続してフラッシュを発光させることに適している。
【０１２３】
なお、ＬＥＤ用の発光駆動部７１は、図２３に示すように、レギュレータと、駆動回路とを組合せて構成された駆動機構７５が具備されていてもよい。このようにして構成されたＬＥＤ用の発光駆動部７１は、図２４に示すように、一定の幅を有するパルス発光を行うようになっている。
【０１２４】
また、図２３の例でも、蓄電手段であるコンデンサ７６が具備されている為、コンデンサに充電された電力によって白色ＬＥＤを発光することが可能となり、コンデンサを具備しない場合と比較して、より高輝度な閃光を発光することができる。
【０１２５】
さらに、コンデンサ等が具備される場合において、白色ＬＥＤと個別に（１：１に）対応するように、白色ＬＥＤの設置個数と同数のコンデンサ等が具備されていてもよい。これによって、上述した閃光放電管の場合と同様に、ある特定のＬＥＤが発光することで対応するコンデンサ等に充電された電力が消費された場合であっても、他のＬＥＤに対応するコンデンサ等に充電された電力が消費されること防止することが可能となり、閃光の発光をより安定して制御することができる。
【０１２６】
以上より、閃光発光装置２６における発光部材４０に白色ＬＥＤを用いると、電圧を数千Ｖに昇圧させる必要がなくなり、数Ｖ〜十数Ｖに昇圧させた電圧によって十分発光させることができるため、トリガーコイル４２が不要となる。
また、レギュレータ７２で昇圧された電圧によって発光部材４０を直接発光させることで、装置構成の簡素化を図ることが可能となり、最終的には、装置の小型化を図ることができる。
【０１２７】
なお、発光部材４０に用いられるＬＥＤは、白色ＬＥＤに限定されず、例えば、図２５に示すように、赤色（Ｒ）、緑色（Ｇ）及び青色（Ｂ）の計３色のＬＥＤから照射された単色光を加法混色することにより、白色光を擬似的に再現するように構成されたものであってもよい。
また、図２６は、青、緑、黄緑、黄、橙及び赤色の特性を有する各ＬＥＤから発光された光のスペクトル図であり、図２７は、青色ＬＥＤと、黄色の蛍光体材料との組合せにより、擬似的に再現された白色光のスペクトル図であり、図２８は、紫外光ＬＥＤと、ＲＧＢ（Red Green Blue）の蛍光体材料との組合せにより、擬似的に再現された白色光のスペクトル図である。
ここで、図２６から図２８において、縦軸は相対発光強度を、横軸は波長（ｎｍ）をそれぞれ示す。
上述した種々の特性を有する各ＬＥＤの光源色を加法混色させることによって白色光を擬似的に再現する場合には、中間領域の波長を有するＬＥＤを同時に発光させることにより、分光特性の平坦化や、太陽光の分光特性に近似する補正をすることができる。
【０１２８】
また、混色の組合せによる種々の発光色を実現することで、一の撮影毎に発光色を変更することが可能となり、発光色を変化させた連続撮影を行うことができる。
そのため、撮影時の被写体や環境に応じて、色相も含めて所望の効果を有する画像を取得及び選択することができる。
【０１２９】
発光部材４０にＬＥＤを用いた場合の配置構成の一例としては、図２９に示すように、ＲＧＢの３色の他に、上記した補正に用いられる紫色（Ｐ）、黄緑色（ＹＧ）、黄色（Ｙ）、橙色（Ｏ）のＬＥＤ、すなわち計８色のＬＥＤを水平方向に配列させた構成が挙げられる。
このように構成された発光部３８は、図３０に示すように、発光するＬＥＤを順次切り替えることにより、連続撮影時において、１枚の画像毎に発光位置及び照射角度を変更するとともに、閃光の発光色を変化させることで、発光色も変化させたストロボブラケティング撮影をすることができる。
【０１３０】
また、上述した構成からなる発光部３８は、図３１に示すように、基本色となる白色を常時発光させて、その他の色を発光するＬＥＤを順次切り替えることで、白色ＬＥＤにおける分光特性の偏りを補正したストロボブラケティング撮影を行うことができる。
【０１３１】
また、発光部材４０にＬＥＤを用いた場合の配置構成としては、図３２に示すように、ＲＧＢの各色ＬＥＤ及び白色ＬＥＤがマトリクス状に配列された１つのＬＥＤ集合体が、水平方向に配列された構成であってもよい。
このように構成された発光部３８は、デジタルカメラ１の寸法又は形状等に伴う配置上の制限に起因して、ＬＥＤを水平方向に沿って配列することが困難な場合であっても、発光部３８の幅寸法を小さくするとともに、より多くのＬＥＤを配列することができる。
【０１３２】
さらに、図３３から図３５に示すように、単色光を発光する単色ＬＥＤの発光面積を、白色ＬＥＤの発光面積より小さくして組合せた構成であってもよい。
このように構成された発光部３８においては、単色ＬＥＤが白色ＬＥＤから発光される白色光を補正するために用いられるため、単色ＬＥＤの発光面積を上述した種々の補正と同様の効果を得ることが可能な必要最小限の発光面積、すなわち白色ＬＥＤの発光面積より小さくするとすることで、発光部３８の大きさを小さくすることができる。
【０１３３】
［第４変形例］
さらに、本実施形態では、ストロボブラケティング撮影が行われているが、これに限定されず、ストロボブラケティングと、ＡＥＢとを組合せた連続撮影を行ってもよい。以下、図３６から図３９を参照しながら、詳細について説明する。
【０１３４】
まず始めに、「通常撮影モード」時に、操作釦１９である十字キーを左方向に押動することで、「ブラケット撮影モード」に切り替え、さらに「ブラケット撮影モード」時に、案内表示釦２０を押動することで、「ブラケット撮影設定モード」に切り替え、補正間隔、補正順序若しくは撮影順序又は撮影枚数を設定する。そして、ブラケット条件の設定が完了した後、案内表示釦２０を押動して、再度「ブラケット撮影モード」に切り替える。
【０１３５】
「ブラケット撮影モード」に切り替えると、図３６に示すように、撮影条件が読み出され（ステップＳ１０１）、この撮影条件に基づいて各種処理が実行された後（ステップＳ１０２）、第１表示部１７及び第２表示部２２に各種情報が表示され、第１表示部１７にはスルー画像が併せて表示される（ステップＳ１０３）。その後、閃光発光装置２６における発光駆動部３９のメインコンデンサ４３の充電状態が第１表示部１７及び第２表示部２２において確認される（ステップＳ１０４）。この際、メインコンデンサ４３の充電状態が不完全であると判断された場合には（ステップＳ１０４；ＮＯ）、上述した方法により、メインコンデンサ４３の充電処理が行われる（ステップＳ１０５）。
【０１３６】
一方、メインコンデンサ４３の充電状態が完全であると判断された場合には（ステップＳ１０４；ＹＥＳ）、撮影者がシャッタ釦５を押動するか否かを選択し（ステップＳ１０６）、シャッタ釦５を押動しない場合には（ステップＳ１０６；ＮＯ）、シャッタ釦５を押動するか否かを選択する機会が再度与えられる（ステップＳ１０６）。これに対し、シャッタ釦５を押動した場合には（ステップＳ１０６；ＹＥＳ）、自動調光機能によって閃光発光装置２６における発光部３８の一部でプリ発光が行われ（ステップＳ１０７）、被写体からの反射光を受光することにより、調光用の測光処理が実行される（ステップＳ１０８）。
【０１３７】
次に、図３７に示すように、上述した「通常撮影設定モード」において設定された露出条件又は発光光量補正における切片「Ｅｖ０」、変化量「ΔＥｖ」及び総撮影組数「ｍ」（奇数）が発光制御部５３に設定され（ステップＳ１０９）、さらに、「ブラケット撮影設定モード」において設定された発光位置又は照射角度補正における切片「Ｆ０」、変化量「ΔＦ」及び総撮影組数「ｎ」（奇数）が発光制御部５３に設定される（ステップＳ１１０）。
【０１３８】
各種条件の設定後、露出条件又は発光光量補正の撮影順序が確認され（ステップＳ１１１）、「昇順」であると認識された場合には（ステップＳ１１２）、撮影順序ｂが「＋１」として設定される（ステップＳ１１３）。一方、撮影順序が「降順」であると認識された場合には（ステップＳ１１４）、撮影順序ｂが「−１」として設定される（ステップＳ１１５）。
さらに、照射角度又は発光位置の撮影順序が確認され（ステップＳ１１６）、「昇順」であると認識された場合には（ステップＳ１１７）、撮影順序ａが「＋１」として設定される（ステップＳ１１８）。一方、撮影順序が「降順」であると認識された場合には（ステップＳ１１９）、撮影順序ａが「−１」として設定される（ステップＳ１２０）。
【０１３９】
その後、図３８に示すように、撮影組数ｙが「１」に設定され（ステップＳ１２１）、下記式（１３），（１４）に基づいて「Ｌ」及び「Ｅｖ（ｙ）」の値がそれぞれ算出される（ステップＳ１２２）。
【０１４０】
Ｌ＝ｂ×（ｙ−（ｍ＋１）／２）  …（１３）
【０１４１】
Ｅｖ（ｙ）＝Ｅｖ０＋Ｌ×ΔＥｖ  …（１４）
【０１４２】
さらに、撮影組数ｘが「１」に設定され（ステップＳ１２３）、下記式（１５），（１６）に基づいて「Ｋ」及び「Ｆ（ｘ）」の値がそれぞれ算出される（ステップＳ１２４）。
【０１４３】
Ｋ＝ａ×（ｘ−（ｎ＋１）／２）  …（１５）
【０１４４】
Ｆ（ｘ）＝Ｆ０＋Ｋ×ΔＦ  …（１６）
【０１４５】
上述したＥｖ（ｙ）及びＦ（ｘ）が算出された後、露出条件又は発光光量補正と、照射角度又は発光位置補正との組合せによる撮影が行われる（ステップＳ１２５）。撮影後、撮影組数ｘが下記式（１７）に示す条件を満たしているか否かが確認され（ステップＳ１２６）、撮影組数ｘが下記式（１７）に示す条件を満たしていないと判断されると（ステップＳ１２６；ＮＯ）、撮影組数ｘの値が「１」加算され（ステップＳ１２７）、後続の処理が再び実行される（ステップＳ１２４〜Ｓ１２５）。
【０１４６】
ｘ≧ｎ  …（１７）
【０１４７】
一方、撮影組数ｘが上記式（１７）に示す条件を満たしていると判断されると（ステップＳ１２６；ＹＥＳ）、さらに、撮影組数ｙが下記式（１８）に示す条件を満たしているか否かが確認される（ステップＳ１２８）。この際、撮影組数ｙが下記式（１８）に示す条件を満たしていないと判断されると（ステップＳ１２８；ＮＯ）、撮影組数ｙの値が「１」加算され（ステップＳ１２９）、後続の処理が再び実行される（ステップＳ１２１〜Ｓ１２７）。
【０１４８】
ｙ≧ｍ  …（１８）
【０１４９】
そして、撮影組数ｙが上記式（１８）に示す条件を満たしていると判断されると（ステップＳ１２８；ＹＥＳ）、圧縮処理部５７において圧縮符号化され、記憶部５５又は装着された記録媒体１２に記録されて（ステップＳ１３０）、一連のストロボブラケティング撮影が完了する。
その後、リターン処理が実行されることにより（ステップＳ１３１）、第１表示部１７及び第２表示部２２に各種情報が更新されて表示され、第１表示部１７にはスルー画像が各種情報と併せて表示される（ステップＳ１０３）。
【０１５０】
以上より、露出条件又は発光光量の補正における総撮影組数ｍと、発光位置又は照射角度の補正における総撮影組数ｎとを乗じた、計ｍ×ｎ枚の画像を、一回のレリーズ操作によって連続撮影することが可能となり、これによって、所望の露出条件かつ所望の照射条件を満たす画像をより効率よく取得することができる。
【０１５１】
また、閃光発光装置における発光部の発光部材に、発光ダイオードではなくキセノン管を用いた場合であっても、各露出値において複数の発光部材が順次発光され、一の発光部材の発光中に、他の発光部材におけるコンデンサに対して充電が行われるので、撮影間隔を短縮させることができる。
【０１５２】
なお、本変形例では、本実施形態において説明したストロボブラケティング撮影に、露出条件又は発光光量補正を組合せた連続撮影が行われているが、露出条件又は発光光量補正に限定されず、ＷＢ等のその他の撮影条件の補正と組合せた連続撮影が行われてもよい。
このような連続撮影の場合、露光条件、発光光量、発光位置及び照射角度だけでなく、ＷＢ等他の撮影条件についても変更しながら、より多彩な画像を効率よく取得することができる。
また、ここで、撮影組数は、例えば、１，３，５，７，…のように奇数枚に設定されるように構成されているが、発明の趣旨はこれに限定されず、任意の自然数であってよい。その時の構成としては、例えば８枚に設定された時は、９枚に設定されたものとして撮影処理を行い、撮影枚数が８枚になった時点で処理完了とみなし、最後の１枚を撮影しないような構成が考えられる。
【０１５３】
［第５変形例］
さらに、本実施形態におけるデジタルカメラ１は、閃光発光装置２６が内蔵されているが、これに限定されず、図４０に示すように、デジタルカメラ１０１と、閃光発光装置１０２とが、着脱可能な構造であってもよい。
【０１５４】
また、本実施形態における撮像装置は、閃光発光装置２６が内蔵されたデジタルカメラ１であるが、これに限定されず、図４１から図４３に示すように、閃光発光装置２６が内蔵された携帯電話又はＰＨＳ（Personal Handy phone System）等の小型通信機器であってもよい。
本変形例に示す携帯電話１１１は、上部筐体１１２と、下部筐体１１３とを具備し、これら各筐体１１２，１１３は、側面にシャッタ釦１１４が設けられたヒンジ部１１５によって、接離自在に連結されている。
【０１５５】
この携帯電話１１１には、ヒンジ部１１５のシャッタ釦１１４が設けられた面と反対の側面と、上部筐体１１２の正面側に設けられた第１表示部１１６の上端の近傍と、上部筐体１１２の背面側に設けられた第２表示部１１７の近傍とに、計３つの撮像部１１８，１１９，１２０がそれぞれ具備されている。これら各撮像部１１８，１１９，１２０の近傍には、複数の発光部材から構成された閃光発光装置１２１，１２２，１２３が配設されており、本実施形態と同様の効果を奏するようになっている。
【０１５６】
本発明は、前述した実施形態に限定されるものではなく、実施段階ではその要旨を逸脱しない範囲で種々に変形することが可能である。また、前述した実施形態（変形例）で実行される機能は可能な限り適宜組合せて実施しても良い。前述した実施形態には種々の段階の発明が含まれており、開示される複数の構成要件における適宜の組合せにより種々の発明が抽出され得る。例えば、実施形態（変形例）に示される全構成要件から幾つかの構成要件が削除されても、効果が得られるので有れば、この構成要件が削除された構成が発明として抽出され得る。
【図面の簡単な説明】
【０１５７】
【図１】デジタルカメラを示す斜視図である。
【図２】デジタルカメラを示す平面図である。
【図３】デジタルカメラを示す背面図である。
【図４】デジタルカメラを示す正面図である。
【図５】デジタルカメラにおける各モード間の切替態様を示す概念図である。
【図６】デジタルカメラの回路構成を示すブロック図である。
【図７】撮像部の概略構成を示す概念図である。
【図８】発光部材にキセノン管を用いた閃光発光装置の回路構成を示すブロック図である。
【図９】通常撮影時における処理例を示すフローチャートである。
【図１０】発光部材の他の配置構成を示す概略図である。
【図１１】ストロボブラケティング撮影時における処理例を示すフローチャートである。
【図１２】ストロボブラケティング撮影時における処理例を示すフローチャートである。
【図１３】ストロボブラケティング撮影時におけるサブルーチンの処理例を示すフローチャートである。
【図１４】発光部材にキセノン管を用いた閃光発光装置の駆動態様を示すタイミングチャートである。
【図１５】ストロボブラケティング撮影の態様を示す概念図である。
【図１６】ストロボブラケティング撮影時における処理例を示すフローチャートである。
【図１７】発光部における発光パターンの一例を示す概念図である。
【図１８】発光部における発光パターンの他の例を示す概念図である。
【図１９】発光部における発光パターンの他の例を示す概念図である。
【図２０】デジタルカメラを９０°回転させて使用する際の態様を示す概念図である。
【図２１】他の配置構成からなる閃光発光装置を内蔵するデジタルカメラを使用する際の態様を示す概念図である。
【図２２】発光部材にＬＥＤを用いた閃光発光装置における回路構成の一例を示すブロック図である。
【図２３】発光部材にＬＥＤを用いた閃光発光装置における回路構成の他の例を示すブロック図である。
【図２４】発光部材にＬＥＤを用いた閃光発光装置の駆動態様を示すタイミングチャートである。
【図２５】ＲＧＢの各色ＬＥＤを組合せて構成された発光部の発光パターンを示す概念図である。
【図２６】青、緑、黄緑、黄、橙及び赤色の特性を有する各ＬＥＤの波長と相対発光強度の関係を示すスペクトル図である。
【図２７】青色ＬＥＤと黄色の蛍光体材料との組合せによって擬似的に再現された白色光の波長と相対発光強度の関係を示すスペクトル図である。
【図２８】紫外光ＬＥＤとＲＧＢの各色ＬＥＤとの組合せによって擬似的に再現された白色光の波長と相対発光強度との関係を示すスペクトル図である。
【図２９】ＬＥＤを用いた発光部における配置構成の一例を示す概略図である。
【図３０】図２９における発光部の発光パターンの一例を示す概略図である。
【図３１】図２９における発光部の発光パターンの他の例を示す概略図である。
【図３２】ＬＥＤを用いた発光部における配置構成の他の例を示す概略図である。
【図３３】ＬＥＤを用いた発光部における配置構成の他の例を示す概略図である。
【図３４】ＬＥＤを用いた発光部における配置構成の他の例を示す概略図である。
【図３５】ＬＥＤを用いた発光部における配置構成の他の例を示す概略図である。
【図３６】露出補正と照射角度補正とを組合せた連続撮影の処理例を示すフローチャートである。
【図３７】露出補正と照射角度補正とを組合せた連続撮影の処理例を示すフローチャートである。
【図３８】露出補正と照射角度補正とを組合せた連続撮影の処理例を示すフローチャートである。
【図３９】露出補正と照射角度補正とを組合せた連続撮影の態様を示す概念図である。
【図４０】閃光発光装置をデジタルカメラに外付けした態様を示す斜視図である。
【図４１】閃光発光装置を搭載した携帯電話を示す正面図である。
【図４２】閃光発光装置を搭載した携帯電話の一の態様を示す斜視図である。
【図４３】閃光発光装置を搭載した携帯電話の他の態様を示す斜視図である。
【符号の説明】
【０１５８】
１，１０１  デジタルカメラ
２６，１０２，１２１，１２２，１２３  閃光発光装置
３８  発光部
３９  発光駆動部
４０  発光部材
４１  昇圧充電回路
４２  トリガーコイル
４３  メインコンデンサ
５３  発光制御部
１１１  携帯電話
【図１】
2006126814.tif 000005
【図２】
2006126814.tif 000006
【図３】
2006126814.tif 000007
【図４】
2006126814.tif 000008
【図５】
2006126814.tif 000009
【図６】
2006126814.tif 000010
【図７】
2006126814.tif 000011
【図８】
2006126814.tif 000012
【図９】
2006126814.tif 000013
【図１０】
2006126814.tif 000014
【図１１】
2006126814.tif 000015
【図１２】
2006126814.tif 000016
【図１３】
2006126814.tif 000017
【図１４】
2006126814.tif 000018
【図１５】
2006126814.tif 000019
【図１６】
2006126814.tif 000020
【図１７】
2006126814.tif 000021
【図１８】
2006126814.tif 000022
【図１９】
2006126814.tif 000023
【図２０】
2006126814.tif 000024
【図２１】
2006126814.tif 000025
【図２２】
2006126814.tif 000026
【図２３】
2006126814.tif 000027
【図２４】
2006126814.tif 000028
【図２５】
2006126814.tif 000029
【図２６】
2006126814.tif 000030
【図２７】
2006126814.tif 000031
【図２８】
2006126814.tif 000032
【図２９】
2006126814.tif 000033
【図３０】
2006126814.tif 000034
【図３１】
2006126814.tif 000035
【図３２】
2006126814.tif 000036
【図３３】
2006126814.tif 000037
【図３４】
2006126814.tif 000038
【図３５】
2006126814.tif 000039
【図３６】
2006126814.tif 000040
【図３７】
2006126814.tif 000041
【図３８】
2006126814.tif 000042
【図３９】
2006126814.tif 000043
【図４０】
2006126814.tif 000044
【図４１】
2006126814.tif 000045
【図４２】
2006126814.tif 000046
【図４３】
2006126814.tif 000047